(57)【要約】【課題】使用時にポンプのシリンダー外周に内容液が付着しないようにするとともに、ポンプ、その他の液注出手段の付け替え時に、液注出手段の取付により容易に抜栓し、内容液が外気に触れないようにした付け替え用容器を提供すること。【解決手段】容器の口部内周に中栓を嵌着した液注出手段の付け替え用容器であって、中栓が、口部内周に嵌挿される筒基体と、筒基体に連設された栓体保持筒を具備しており、栓体保持筒内に、抜栓可能とした栓部材を装着したことを特徴とする。【選択図】        図１
2004149195.tif 000002
【特許請求の範囲】
【請求項１】
容器の口部内周に中栓を嵌着した液注出手段の付け替え用容器であって、
中栓が、口部内周に嵌挿される筒基体と、筒基体に連設された栓体保持筒を具備しており、
栓体保持筒内に、抜栓可能とした栓部材を装着したことを特徴とする付け替え用容器。
【請求項２】
栓部材が、栓体保持筒の内周面に薄肉部を介して連設され、液注出手段の取付時に、薄肉部が破断されるようにしたことを特徴とする請求項１記載の付け替え用容器。
【請求項３】
栓部材が、栓体保持筒の下端を閉塞する栓蓋と係合杆とを具えていることを特徴とする請求項１、２記載の付け替え用容器。
【請求項４】
容器の口部に中栓を嵌着した付け替え用容器であって、
中栓が、容器の口部内周に嵌挿され、栓体保持筒を連設した筒基体と、栓部材とを具備しており、
栓部材が、栓体保持筒に嵌挿される栓蓋と係合杆、および栓蓋を押上げ、栓体保持筒下端開口を閉塞する弁部材とを具備していることを特徴とする付け替え用容器。
【請求項５】
弁部材が、弁支持筒と、複数の連結片、該連結片に連設され、栓体保持筒下端を閉塞する弁とを具備していることを特徴とする請求項４記載の付け替え用容器。
【請求項６】
液注出手段が、下端に吸込筒を具えたポンプまたはスプレーであって、
吸込筒が、栓体保持筒に嵌挿されていることを特徴とする請求項１〜５記載の付け替え用容器。
【請求項７】
液注出手段が、注出筒を立設した注出キャップであって、注出筒に連通し、栓体保持筒に嵌挿する連通筒が垂設されていること特徴とする請求項１〜５記載の付け替え用容器。
【請求項８】
栓体保持筒と、栓体保持筒に嵌挿される液注出手段の部材との間に、シール部材を配設したことを特徴とする請求項１〜７記載の付け替え用容器。
【発明の詳細な説明】
【０００１】
【発明の属する技術分野】
本発明は、付け替え用容器、とくにポンプ、スプレー、注出キャップ等の液注出手段を付け替え可能とした容器に関する。
【０００２】
【従来の技術】
ポンプを着脱可能とし、内容液を詰め替えて使用するようにしたポンプ付容器は従来より知られている（例えば、特許文献１参照。）。
【０００３】
【特許文献１】
特開平１１−１１５１０号公報
【０００４】
【発明が解決しようとする課題】
上記従来技術は、容器の口部に、下端に吸込みパイプを連設した筒状の固定部材（３）を装着筒（８）を用いて取付け、該固定部材（３）にポンプ（液体噴出部Ｂ）を嵌着固定するようにしており、内容液を使い切ったときには、装着筒を取外し、ポンプと固定部材を取り去り、他の詰め替え容器から内容液を入れ、再び装着筒を取付け、ポンプを嵌着するようにしていた。
【０００５】
しかしながら、内容液が外気に触れて特殊成分の気化や変色等の変化を起こすものである場合には、内容液の詰め替え時に、取外したポンプに付着した内容液が外気に触れて変化し、これが詰め替えた新しい内容液にも影響を与えるという問題があった。
【０００６】
また、容器の口部が大きいと、詰め替え時に内容液が外気と広い範囲で接触し、詰め替え時に、内容液が変化するという問題があった。
そうした場合に、内容液の変化がわずかなものであっても、効果の減少や外観の変化がもたらされ、商品価値が低下することになるという問題が派生した。
【０００７】
本発明は、上記の問題を解決することを課題とし、使用時にポンプのシリンダー外周に内容液が付着しないようにするとともに、ポンプ、その他の液注出手段の付け替え時に、液注出手段の取付により容易に抜栓し、内容液が外気に触れないようにした付け替え用容器を提供することを目的とする。
【０００８】
【課題を解決するための手段】
本発明は、上記の課題を解決するため、付け替え用容器として、容器の口部内周に中栓を嵌着した液注出手段の付け替え用容器であって、中栓が、口部内周に嵌挿される筒基体と、筒基体に連設された栓体保持筒を具備しており、栓体保持筒内に、抜栓可能とした栓部材を装着したことを特徴とする構成を採用する。
【０００９】
栓部材の実施態様として、栓部材が、栓体保持筒の内周面に薄肉部を介して連設され、液注出手段の取付時に、薄肉部が破断されるようにしたことを特徴とする構成、また、栓部材が、栓体保持筒の下端を閉塞する栓蓋と係合杆とを具えていることを特徴とする構成を採用する。
【００１０】
中栓の別実施態様として、
容器の口部に中栓を嵌着した付け替え用容器であって、中栓が、容器の口部内周に嵌挿され、栓体保持筒を連設した筒基体と、栓部材とを具備しており、栓部材が、栓体保持筒に嵌挿される栓蓋と係合杆、および栓蓋を押上げ、栓体保持筒下端開口を閉塞する弁部材とを具備していることを特徴とする構成を採用し、弁部材として、弁部材が、弁支持筒と、複数の連結片、該連結片に連設され、栓体保持筒下端を閉塞する弁とを具備していることを特徴とする構成を付加する。
【００１１】
液注出手段の実施態様として、液注出手段が、下端に吸込筒を具えたポンプまたはスプレーであって、吸込筒が、栓体保持筒に嵌挿されていることを特徴とする構成、または、液注出手段が、注出筒を立設した注出キャップであって、注出筒に連通し、栓体保持筒に嵌挿する連通筒が垂設されていること特徴とする構成を採用する。
【００１２】
また、上記構成に付加して、栓体保持筒と、栓体保持筒に嵌挿される液注出手段の部材との間に、シール部材を配設したことを特徴とする構成を採用する。
【００１３】
上記の栓体保持筒には、液注出手段がポンプまたはスプレーである場合には吸込パイプ、保持筒等が含まれ、液注出手段が注出キャップの場合には排出筒が含まれる。
【００１４】
【発明の実施の形態】
次に、本発明の第１実施形態について、図面を参照して説明する。
図１において、Ａは容器、Ｂは容器口部に嵌着された中栓、Ｃは取付キャップ、Ｄはポンプ、Ｅはポンプに取着された吐出ノズルである。
【００１５】
図１，２に示すように、容器Ａは、口部１と肩部２、胴部３と底部４とからなり、口部１外周には、ねじ５が設けられている。
口部１の下端には、拡径段部６が設けられ、肩部２に続いている。
胴部３の横断面形状は、円形、楕円形または角形となっている。
【００１６】
中栓Ｂは、口部１内周に嵌挿される筒基体１０と、容器底部４近くに達する吸込みパイプ１１とを具えており、筒基体１０の上端には、口部１天面に係合するフランジ１２が連設され、筒基体１０自体は、一定の締め代をもって、容器口部１内周に嵌着されるようになっている。
筒基体１０の下端は一定の傾斜をもった円錐筒１３となっており、その下端に、前記吸込みパイプ１１が連設されている。
吸込みパイプ１１の上方部の所定の位置には、栓部材１４が設けられている。
【００１７】
図３に示すように、栓部材１４は、板体１５と、該板体１５に突設された係合リブ１６とを具えており、板体１５の周縁部には、薄肉部１７を残して上方から切断溝１８が刻設され、板体１５は、薄肉部１７を介して吸込みパイプ１１の内面と連設されている。
一方の端部に、突出部１９が形成され、係合リブ１６上面は、突出部１９側を上端２０とする傾斜面２１となっている。
【００１８】
図３（ｂ）に示すように、栓部材１４の抜栓時には、傾斜面２１の上端側から押し下げて、下方の薄肉部１７を順次切断していくことになり、下端側の薄肉部１７ａが残され、栓部材１４が落ちないようになっている。
また、板体１５周縁部に設けた薄肉部１７は、前記実施形態のように、全周に設けてもよいし、間欠で設けてもよい。
【００１９】
上記中栓Ｂは、容器Ａの内周に嵌着されることによって、本発明の付け替え用容器が形成されることになる。
【００２０】
図１に示すように、取付キャップＣは、側周壁３０と上壁３１とを具えており、側周壁３０の内周には、ねじ５に螺合するねじ３２が螺設されている。
上壁３１には、ポンプＤのピストンを案内する案内筒（図示しない）と、吐出ノズルＥの案内筒３３が立設されている。
【００２１】
ポンプＤは、シリンダー４０とシリンダー４０に内蔵されたピストン部材（図示しない）からなり、ピストン部材のステム上端には、吐出ノズルＥが装着されている。
シリンダー４０の上端には、取付フランジ４１が設けられ、パッキン４２を介して、キャップＣによって容器口部１に取付けられるようになっている。
シリンダー４０の下端には吸込み筒４３が連設され、該吸込み筒４３の中間部には膨出環４４が設けられている。
【００２２】
吐出ノズルＥは、ノズル４５を設けた吐出ヘッド４６を具えており、ポンプＤは吐出ヘッド４６の押圧操作に応じて容器Ａ中の内容液を吸い上げ、ノズル４５から吐出するようになっており、従来公知のものが使用されているので、ポンプの内部構造についての説明は省略する。
【００２３】
次に、本実施形態ポンプ付け替え用容器の作用効果について説明する。
本発明のポンプ付け替え用容器は、容器Ａに内容液を充填した後、容器口部１に中栓Ｂを嵌着し、その上から仮キャップを被蓋して形成される。
【００２４】
液注出容器は、内容液を充填した容器Ａに、ポンプＤを取付キャップＣによって容器口部１に取着することによって得られ、その際、ポンプの吸込み筒４３が中栓Ｂ内に嵌挿されて抜栓する。
ポンプＤ付きの液注出容器とともに、内容液を充填したポンプ付け替え用容器が販売される。
【００２５】
液注出容器の使用にあたって、吐出ノズルＥの吐出ヘッド４６を押圧操作することによってポンプＤが作動され、内容液を吸込みパイプ１１を通じて吸込み、ノズル４５より吐出する。
その際、吸込みパイプ１１と吸込み筒４３との間は、膨出環４４によって密封されるので、内容液は、シリンダー４０と中栓Ｂの筒基体１０との間に上昇することがないので、シリンダー４０表面に付着しない。
【００２６】
液注出容器を使用し、内容液を使い終わった時には、取付キャップＣを取外し、ポンプＤを引き上げ、新しい付け替え用容器に付け替える。
【００２７】
ポンプＤの付け替えにあたって、容器Ａの仮キャップを取外し、ポンプＤのシリンダー４０を中栓Ｂの筒基体１０内に嵌挿し、取付キャップＣを締めていくと、吸込み筒４３の下端が、栓部材１４の係合リブ１６に係合して、薄肉部１７を上端２１側から順次切断し、一部残して栓部材１４を開栓する。
取付キャップＣを締めきると、パッキン４２によって中栓Ｂの筒基体１０とシリンダー４０との間が密封され、膨出環４４による吸込みパイプ１１内周の密封と相まって、中栓Ｂの筒基体１０内に大気が入ることはない。
【００２８】
ポンプＤの取付け、取外しは、従来のものと同様に、取付キャップＣの廻動操作によって簡単に行うことができる。
【００２９】
次に、中栓に係る三つの別実施例について説明する。
第１実施例は、栓部材の構成を変更したものである。
中栓を除いて実施形態と同一の構成については、同一の符号を付して図示し、説明を省略する。
【００３０】
図４において、Ｂａは中栓であり、実施形態のものと同様に、筒基体５０と吸込みパイプ５１とを具えており、筒基体５０の上端には、取付フランジ５２が連設されている。
筒基体５０の下端は、円錐筒５３となっており、その下端には、前記吸込みパイプ５１が連設されている。
吸込みパイプ５１には、栓部材５４が嵌挿されている。
【００３１】
図４，５に示すように、栓部材５４は、下端にフランジ５５を設けた栓蓋５６と、該栓蓋５６の上面に立設された十字形の係合杆５７とからなっており、栓蓋５６の外周面５８は、吸込みパイプ５１の下端部内周に嵌合されるようになっている。
【００３２】
図６に示すように、中栓Ｂａも第１実施形態の中栓Ｂ同様に、内容液を充填した容器Ａに取着され、ポンプＤの取付時には、ポンプＤの吸込み筒４３の下端により栓部材５４の係合杆５７が押下げられ、栓蓋５６が下方に移動し、吸込みパイプ５１と係合杆５７との間に流路が形成される。
【００３３】
該注出容器の使用時、およびポンプの付け替え時の作用効果は、第１実施形態のそれと同一である。
【００３４】
次に、中栓の第２実施例について説明する。
図７において、Ｂｂは中栓であり、筒基体６０と吸引筒６１と栓部材６２とを具えている。
筒基体６０は、上端にはフランジ６３が設けられ、下端には、環状板６４が設けられている。
該環状板６４の内周縁には、ポンプＤの吸込み筒４３が嵌挿される保持筒６５が連設されている。
【００３５】
吸引筒６１は、筒基体６０と一体成形され、環状板６４の周縁に沿って垂設されており、その上方部内周には、栓部材６２の一部と係合して栓部材６２を位置決め保持するための膨出環６６が設けられている。
【００３６】
栓部材６２は、保持筒６５に嵌挿される栓蓋６７と、該栓蓋６７の上面に立設された十字形の係合杆６８、および栓蓋６７と共働し、保持筒６５下端開口を塞ぐ弁部材６９とからなっている。
弁部材６９は、吸引筒６１の上方部内周に嵌着される弁支持筒７０と、該弁支持筒７０の下端から連設された複数本の伸縮性の連結片７１と、連結片７１に連設保持された弁７２とからなっている。
弁７２は、栓蓋６７を押上げるとともに、保持筒６５の下端面に圧接して保持筒６５の下端開口を塞ぐように作用している。
【００３７】
本実施例の中栓Ｂｂは、第１実施形態の中栓Ｂと同様に、内容液を充填した容器Ａに取着されて容器内部を密封し、ポンプＤの取付時には、図８に示すように、ポンプＤの吸込み筒４３の下端部が、係合杆６８に係合して下方に押下げ、栓蓋６７が弁７２を下方に押圧する。
弁７２は、連結片７１を引き伸ばし、弁支持筒７０と弁７２、または栓蓋６７との間に流路が形成される。
【００３８】
該注出容器の使用時、およびポンプの付け替え時の作用効果は、第１実施形態のそれと同一である。
【００３９】
次に、中栓に係る第３実施例について説明する。
図９に示すように、中栓Ｂｃは、筒基体８０と吸引筒８１と栓部材８２とを具えている。
筒基体８０は、上端にフランジ８３が設けられ、下端部には、外周にねじ８４を設けた縮径部８５が形成されている。
縮径部８５の下端には、環状板８６が連設され、該環状板８６の内周縁には、ポンプＤの吸込み筒４３の保持筒８７が連設されている。
【００４０】
吸引筒８１は、上筒８８と縮径された下筒８９とからなり、上筒８８の上端部は拡径部９０となっており、その内周には、筒基体８０の縮径部８５に螺合するねじ９１が螺設されている。
【００４１】
栓部材８２は、保持筒８７に嵌挿される栓蓋９２と、該栓蓋９２の上面に立設された十字形の係合杆９３および弁部材９４とからなっている。
弁部材９４は、吸引筒８１の上筒８８上方部内周に嵌着される弁支持筒９５と、該弁支持筒９５の下端に連設された複数本の伸縮性の連結片９６と、連結片９６に連設保持された弁９７とからなっている。
【００４２】
上筒８８内周には、弁支持筒９５の下端と上筒８８の下端との間に、弁支持筒９５を支え位置決めするスリーブ９８が嵌挿されている。
弁９７は、栓蓋９２を押上げるとともに、保持筒８７の下端面に圧接して保持筒８７の下端開口を塞ぐように作用している。
【００４３】
本実施例の中栓Ｂｃは、第１実施形態の中栓Ｂと同様に、内容液を充填した容器Ａに取着されて容器内部を密封し、ポンプＤの取付時には、図１０に示すように、ポンプＤの吸込み筒４３の下端部が係合杆９３に係合して下方に押下げ、栓蓋９２が弁９７を下方に押圧する。
弁９７は、連結片９６を引き伸ばし、弁支持筒９５と弁９７、または栓蓋９２との間に流路を形成する。
【００４４】
該注出容器の使用時、およびポンプの付け替え時の作用効果は、第１実施形態のそれと同一である。
【００４５】
本実施例では、筒基体８０と吸引筒８１を螺合により係合したが、アンダーカット等任意の方法で係合させることも可能である。
【００４６】
前記第１実施形態では、ポンプに吐出ノズルを取着したが、吐出ノズルに変え噴霧ノズルを取着するようにしてもよい。
また、容器Ａは、積層成形品でもデラミ容器であってもよい。
【００４７】
また、前記第１実施形態において、吸込みパイプの下端は、容器底部近くまで達しているが、該下端位置は、容器底部に接するようにしてもよく、任意の長さとすることができる。
また、ポンプの吸込筒の周面に膨出環を設けて、吸込パイプまたは保持筒等の間をシールするようにしているが、吸込パイプまたは保持筒の側に膨出環を設けること、Ｏリングを配設すること等、吸込筒と吸込パイプまたは保持筒との間をシール手段は、吸込筒の膨出環に限定されない。
【００４８】
次に、第２実施形態の付け替え用容器について説明する。
前記第１実施形態は、ポンプの付け替え用容器として使用されるものであるが、本実施形態は、注出キャップの付け替え用容器に関するものである。
図１１、１２において、Ａｄは容器、Ｂｄは中栓、Ｆは仮キャップ、Ｆａは注出キャップとしてのヒンジキャップである。
【００４９】
容器Ａｄは、口部１００と肩部１０１、胴部と底部とからなっており、口部１００外周には、ねじ１０２が螺設され、下端には一対の位置決め突起１０３を具えた段部１０４が設けられ、肩部１０１に続いている。
【００５０】
中栓Ｂｄは、上端にフランジ１０５を具えた側周壁１０６と底壁１０７とからなり、底壁１０７の中央には、排出筒１０８が連設されている。
排出筒１０８内の中間位置には、栓部材１０９が設けられており、該栓部材１０９は、一方の側を突出部１１０として、傾斜する上面１１１を具えた板体１１２によって形成されている。
板体１１２の周縁部には、突出部１１０の反対側を残して、底部を薄肉部１１３とした切断溝１１４が刻設されている。
【００５１】
図１２に示すように、ヒンジキャップＦａは、キャップ基体１２０と、該キャップ基体１２０に蝶番１２１を介して取着された開閉蓋１２２とからなっている。
キャップ基体１２０は、上壁１２３と、該上壁１２３に垂設された螺着筒１２４と外周壁１２５とからなっている。
【００５２】
上壁１２３の中央部には、注出孔１２６が穿孔され、上面には、注出孔１２６を囲む注出筒１２７が立設されている。
上壁１２３の下面の中心には、注出孔１２６に連通する連通筒１２８が垂設され、その外周には膨出環が設けられており、中栓Ｂｄの排出筒１０８内周に嵌挿されるようになっている。
螺着筒１２４の内周には、ねじ１２９が螺設されており、螺着筒１２４と外周壁１２５との間には、位置決め突起１０３に係合する位置決め板１３０が架設されている。
【００５３】
外周壁１２５上端周縁の所定位置には、前記蝶番１２１が設けられて開閉蓋１２２が連設されており、反対側の外周壁１２５の周縁には、凹部１３１が設けられている。
開閉蓋１２２は、頂壁１３２と側周壁１３３とからなり、頂壁１３２には、注出孔１２６を塞ぐ栓体１３４が設けられ、蝶番１２１の反対側の側周壁１３３には、摘み１３５が設けられている。
【００５４】
次に、本第２実施形態の付け替え用容器の作用効果について説明する。
図１１に示すように、本実施形態の付け替え用容器は、容器Ａｄに内容液を充填した後、容器口部１００に中栓Ｂｄを嵌着し、その上から仮キャップＦを被蓋して形成される。
【００５５】
図１２に示すように、液注出容器は、内容液を充填した容器Ａｄから、仮キャップＦを取外し、ヒンジキャップＦａを容器口部１００に取着することによって得られる。
その際、キャップ基体１２０の連通筒１２８は、中栓Ｂｄの排出筒１０８に嵌挿されて栓部材１０９を押下げ抜栓する。
【００５６】
液注出容器の使用にあたっては、開閉蓋１２２を開き、容器Ａｄを傾けると、内容液を注出することができる。
内容液を注出し終えたときには、容器ＡｄからヒンジキャップＦａを取外し、新しい付け替え用容器に取着する。
【００５７】
本実施形態の付け替え用容器は、ヒンジキャップＦａの取り替えだけであるから簡単にでき、容器口部１００のみに一定の強度をもたせると、胴部は保形性だけあればよいから薄肉にすることができる。
【００５８】
また、注出キャップとして、頂壁上面に注出筒を立設し、下面に中栓の注出筒に係合する連通筒を垂設したねじキャップで、注出筒の上部を被せ蓋で閉蓋するようにした注出キャップを用いることもできる。
また、ねじキャップに変えて、アンダーカットによる嵌合キャップを用いることができる。
【００５９】
また、中栓として実施例に示した構成の他に、第１実施形態の第１〜第３実施例で説明した各種の中栓の形状を採用することができる。
その際、栓部材の配設位置、連通筒の長さ等を適宜に設定する。
【００６０】
【発明の効果】
本発明は、上記のように構成されているから、次の効果を奏する。
液注出手段が、ポンプである場合には、抜栓可能な栓部材を設けた吸込みパイプを配設した中栓を容器に取着し、ポンプの吸込み筒を吸込みパイプに嵌挿して抜栓するようにしているので、ポンプを取付時まで充填された内容液が外気に触れないから、内容液が変化することはない。
また、ポンプ取付時に、吸込みパイプとポンプの吸込み筒との間、および中栓筒基体とポンプとの間を密封したから、シリンダーの周面に内容液が付着することはない。
【００６１】
液注出手段が、注出キャップである場合には、中栓に抜栓可能な栓部材を設けた排出筒を配設し、キャップに設けられた連通筒によって、排出筒の栓部材を抜栓するようにしているので、注出キャップの取付時まで充填された内容液が外気に触れないから、内容液が変化することはない。
【００６２】
液注出が終わったときには、ポンプ、注出キャップ等の液注出手段を新しい容器に付け替えるだけで、液の詰め替えをおこなわなくてもよいから、取扱いがきわめて簡単になった。
【図面の簡単な説明】
【図１】本発明第１実施形態のポンプ付け替え用容器を用いた液注出容器の一部断面立面図である。
【図２】中栓を取着したポンプ付け替え用容器の説明図である。
【図３】ポンプ嵌挿時の栓部材の説明図で、（ａ）は嵌挿前、（ｂ）は嵌挿中の図である。
【図４】第１実施例の中栓を取着した付け替え用容器の説明図である。
【図５】栓部材の斜視図である。
【図６】ポンプを装着した液注出容器の説明図である。
【図７】第２実施例の中栓を取着した付け替え用容器の説明図である。
【図８】ポンプを装着した液注出容器の説明図である。
【図９】第３実施例の中栓を取着した付け替え用容器の説明図である。
【図１０】ポンプを装着した液注出容器の説明図である。
【図１１】第２実施形態の付け替え用容器である。
【図１２】注出キャップを装着した液注出容器の説明図である。
【符号の説明】
Ａ、Ａｄ                容器
Ｂ、Ｂａ、Ｂｂ、Ｂｃ、Ｂｄ  中栓
Ｃ                      取付キャップ
Ｄ                      ポンプ
Ｅ                      吐出ノズル
Ｆ                      仮キャップ
Ｆａ                    ヒンジキャップ
１、１００              口部
２、１０２              肩部
３                      胴部
４                      底部
５、３２、８４、９１、１０２  ねじ
６                      拡径段部
１０、５０、６０、８０  筒基体
１１、５１              吸込みパイプ
１２、５５、６３、８３、１０５  フランジ
１３、５３              円錐筒
１４、５４、６２、８２、１０９  栓部材
１５、１１２            板体
１６                    係合リブ
１７、１１３            薄肉部
１８、１１４            切断溝
１９、１１０            突出部
２０        上端
２１        傾斜面
３０        側周壁
３１        上壁
３３        案内筒
４０        シリンダー
４１        取付フランジ
４２        パッキン
４３        吸込み筒
４４        膨出環
４５        ノズル
４６        吐出ヘッド
５２        取付フランジ
５６、６７、９２  栓蓋
５７、６８、９３  係合杆
５８              外周面
６１、８１        吸引筒
６４              環状板
６５、８７        保持筒
６６              膨出環
６９、９４        弁部材
７０、９５        弁支持筒
７１、９６        連結片
７２、９７        弁
８５              縮径部
８６              環状板
８８              上筒
８９              下筒
９０              拡径部
９８              スリーブ
１０３            位置決め突起
１０４            段部
１０６            側周壁
１０７            底壁
１０８            排出筒
１１１            上面
１２０            キャップ基体
１２１              蝶番
１２２            開閉蓋
１２３            上壁
１２４            螺着筒
１２５            外周壁
１２７            注出筒
１２８            連通筒
１２９              ねじ
１３０            位置決め板
１３１            凹部
１３２            頂壁
１３３            側周壁
１３４            摘み
【図１】
2004149195.tif 000003
【図２】
2004149195.tif 000004
【図３】
2004149195.tif 000005
【図４】
2004149195.tif 000006
【図５】
2004149195.tif 000007
【図６】
2004149195.tif 000008
【図７】
2004149195.tif 000009
【図８】
2004149195.tif 000010
【図９】
2004149195.tif 000011
【図１０】
2004149195.tif 000012
【図１１】
2004149195.tif 000013
【図１２】
2004149195.tif 000014